【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
映像コンテンツの場面を特定する時間情報を指定する場面指定手段と、
映像コンテンツ毎に、少なくとも、該映像コンテンツの映像コンテンツ識別情報を格納する映像コンテンツ情報データベースと、
上記場面指定手段から、ユーザ識別情報及び指定された時間情報を受け、上記映像コンテンツ情報データベースから、上記映像コンテンツ識別情報を取得し、任意の手段により、上記時間情報に対応した上記時間情報の許容差を獲得するユーザ入力制御手段と、
上記ユーザ入力制御手段からの上記ユーザ識別情報、上記映像コンテンツ識別情報及び上記時間情報の組を格納するユーザ情報データベースと、
上記ユーザ入力制御手段からの上記映像コンテンツ識別情報、上記時間情報及び上記許容差に基づいて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する映像コンテンツ視聴者情報提供システム。
【請求項２】
上記場面指定手段は、映像コンテンツの特定の場面に関連付けられた付加情報を映像コンテンツの視聴者から受け、上記ユーザ入力制御手段へ渡し、
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから獲得した上記付加情報を含む上記ユーザ情報を取得する
請求項１記載の映像コンテンツ視聴者情報提供システム。
【請求項３】
上記ユーザ情報検索手段は、上記付加情報を利用して上記付加情報を含む上記ユーザ情報を順序付ける
請求項２記載の映像コンテンツ視聴者情報提供システム。
【請求項４】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報から決まる時間情報範囲の組に対し、上記別のユーザ識別情報に対応させて上記ユーザ情報データベースに格納されている映像コンテンツ識別情報及び時間情報の中から、映像コンテンツ識別情報が一致し、時間情報が時間情報範囲に含まれる映像コンテンツ識別情報及び時間情報を割り当てる手段と、
上記別のユーザ識別情報の中から、上記ユーザ識別情報の映像コンテンツ識別情報及び時間情報範囲の組に割り当てられた度合いに応じて別のユーザ識別情報を取得する手段と、
により構成される、請求項１記載の映像コンテンツ視聴者情報提供システム。
【請求項５】
上記場面指定手段は、映像コンテンツの特定の場面に関連付けられた付加情報を映像コンテンツの視聴者から受け、上記ユーザ入力制御手段へ渡し、
上記ユーザ情報データベースは、上記ユーザ識別情報、上記映像コンテンツ識別情報及び上記時間情報の組と共に、上記ユーザ入力制御手段からの上記付加情報を格納し、
上記ユーザ情報検索手段は、上記付加情報を利用して上記ユーザ情報に順序を付ける、
請求項４記載の映像コンテンツ視聴者情報提供システム。
【請求項６】
ユーザ識別情報、映像コンテンツ識別情報、時間情報、時間情報の許容差を格納するユーザ情報データベースと、
映像コンテンツ毎に、少なくとも、該映像コンテンツの映像コンテンツ識別情報を格納する映像コンテンツ情報データベースと、
映像コンテンツ上の場面を特定する時間情報を指定する場面指定手段と、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者に提示するユーザ情報提示手段と、
を有する映像コンテンツ視聴者情報提供システム。
【請求項７】
上記場面指定手段は、映像コンテンツの特定の場面に関連付けられた付加情報を映像コンテンツの視聴者から受け、上記ユーザ入力制御手段へ渡し、
上記ユーザ情報検索手段は、上記ユーザ情報データベースから獲得した上記付加情報を含む上記ユーザ情報を取得する
請求項６記載の映像コンテンツ視聴者情報提供システム。
【請求項８】
上記ユーザ情報検索手段は、上記付加情報を利用して上記付加情報を含む上記ユーザ情報を順序付ける
請求項７記載の映像コンテンツ視聴者情報提供システム。
【請求項９】
映像コンテンツの場面を特定する時間情報を指定する場面指定手段と、
映像コンテンツ毎に、少なくとも、該映像コンテンツの映像コンテンツ識別情報を格納する映像コンテンツ情報データベースと、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記ユーザ識別情報、上記映像コンテンツ識別情報及び上記時間情報を格納するユーザ情報データベースと、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する映像コンテンツ視聴者情報提示システム。
【請求項１０】
上記場面指定手段は、映像コンテンツの特定の場面に関連付けられた付加情報を映像コンテンツの視聴者から受け、上記ユーザ入力制御手段へ渡し、
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから獲得した上記付加情報を含む上記ユーザ情報を取得する
請求項９記載の映像コンテンツ視聴者情報提供システム。
【請求項１１】
上記ユーザ情報検索手段は、上記付加情報を利用して上記付加情報を含む上記ユーザ情報を順序付ける
請求項１０記載の映像コンテンツ視聴者情報提供システム。
【請求項１２】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報に対し、上記別のユーザ識別情報に対応させて上記ユーザ情報データベースに格納されている映像コンテンツ識別情報及び時間情報の中から、映像コンテンツ識別情報が一致し、任意の手段により獲得される許容差を用いて、時間情報が時間情報の上記許容差に含まれる映像コンテンツ識別情報及び時間情報を割り当てる手段と、
上記別のユーザ識別情報の中から、上記ユーザ識別情報の映像コンテンツ識別情報及び時間情報の組に割り当てられた度合いに応じて別のユーザ識別情報を取得する手段と、
により構成される、請求項９記載の映像コンテンツ視聴者情報提供システム。
【請求項１３】
上記場面指定手段は、映像コンテンツの特定の場面に関連付けられた付加情報を映像コンテンツの視聴者から受け、上記ユーザ入力制御手段へ渡し、
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから取得した上記付加情報を含む上記ユーザ情報を取得する
請求項１２記載の映像コンテンツ視聴者情報提供システム。
【請求項１４】
上記ユーザ情報検索手段は、上記付加情報を利用して上記付加情報を含む上記ユーザ情報を順序付ける
請求項１３記載の映像コンテンツ視聴者情報提供システム。
【請求項１５】
ユーザ識別情報、映像コンテンツ識別情報、時間情報を格納するユーザ情報データベースと、
映像コンテンツ毎に、少なくとも、該映像コンテンツの映像コンテンツ識別情報を格納する映像コンテンツ情報データベースと、
映像コンテンツの場面を特定する時間情報を指定する場面指定手段と、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有することを特徴とする映像コンテンツ視聴者情報提供システム。
【請求項１６】
上記場面指定手段は、映像コンテンツの特定の場面に関連付けられた付加情報を映像コンテンツの視聴者から受け、上記ユーザ入力制御手段へ渡し、
上記ユーザ情報検索手段は、上記ユーザ情報データベースから獲得した上記付加情報を含む上記ユーザ情報を取得する
請求項１５記載の映像コンテンツ視聴者情報提供システム。
【請求項１７】
上記ユーザ情報検索手段は、上記付加情報を利用して上記付加情報を含む上記ユーザ情報に順序を付ける
請求項１６記載の映像コンテンツ視聴者情報提供システム。
【請求項１８】
映像コンテンツの場面を特定する時間情報を指定する場面指定手順と、
ユーザ識別情報及び指定された時間情報を受け、映像コンテンツ毎に、少なくとも、該映像コンテンツの映像コンテンツ識別情報を格納するコンテンツ情報データベースから、上記映像コンテンツ識別情報を取得し、任意の手段により、上記時間情報に対応した上記時間情報の許容差を獲得するユーザ入力制御手順と、
上記ユーザ入力制御手順からの上記映像コンテンツ識別情報、上記時間情報及び上記許容差に基づいて、上記ユーザ入力制御手順において取得した上記ユーザ識別情報、上記映像コンテンツ識別情報及び上記時間情報の組を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順と、
上記ユーザ情報検索手順において取得した上記ユーザ情報を映像コンテンツの視聴者へ提示するユーザ情報提示手順と、
を有する映像コンテンツ視聴者情報提供方法。
【請求項１９】
上記場面指定手順は、映像コンテンツの特定の場面に関連付けられた付加情報を映像コンテンツの視聴者から受け、
上記ユーザ入力制御手順は、上記ユーザ情報データベースに、上記ユーザ識別情報、上記映像コンテンツ識別情報と共に、上記付加情報を格納し、
上記ユーザ情報検索手順は、上記ユーザ情報データベースから獲得した上記付加情報を含む上記ユーザ情報を取得する
請求項１８記載の映像コンテンツ視聴者情報提供方法。
【請求項２０】
上記ユーザ情報検索手順は、上記付加情報を利用して上記付加情報を含む上記ユーザ情報を順序付ける
請求項１９記載の映像コンテンツ視聴者情報提供方法。
【請求項２１】
上記ユーザ情報検索手順は、
上記別のユーザ識別情報を取得する手順と、
上記ユーザ入力制御手順において取得した上記ユーザ識別情報に対応させて上記ユーザ情報データベースに格納されている映像コンテンツ識別情報及び時間情報から決まる時間情報範囲の組に対し、上記別のユーザ識別情報に対応させて上記ユーザ情報データベースに格納されている映像コンテンツ識別情報及び時間情報の中から、映像コンテンツ識別情報が一致し、時間情報が時間情報範囲に含まれる映像コンテンツ識別情報及び時間情報を割り当てる手順と、
上記別のユーザ識別情報の中から、上記ユーザ識別情報の映像コンテンツ識別情報及び時間情報範囲の組に割り当てられた度合いに応じて別のユーザ識別情報を取得する手順と、
により構成される、請求項１８記載の映像コンテンツ視聴者情報提供方法。
【請求項２２】
上記場面指定手順は、映像コンテンツの特定の場面に関連付けられた付加情報を映像コンテンツの視聴者から受け、
上記ユーザ識別情報、上記映像コンテンツ識別情報及び上記時間情報の組と共に、上記ユーザ入力制御手順において取得した上記付加情報を上記ユーザ情報データベースに格納し、
上記ユーザ情報検索手順は、上記付加情報を利用して上記ユーザ情報に順序を付ける、
請求項２１記載の映像コンテンツ視聴者情報提供方法。
【請求項２３】
映像コンテンツ上の場面を特定する時間情報を指定する場面指定手順と、
上記指定された時間情報を受け、映像コンテンツ毎に、少なくとも、該映像コンテンツの映像コンテンツ識別情報を格納するコンテンツ情報データベースから、上記映像コンテンツ識別情報を取得するユーザ入力制御手順と、
上記ユーザ入力制御手順において取得した上記映像コンテンツ識別情報、上記時間情報に基づき、ユーザ識別情報、映像コンテンツ識別情報、時間情報、時間情報の許容差を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順と、
上記ユーザ情報検索手順において取得した上記ユーザ情報を映像コンテンツの視聴者に提示するユーザ情報提示手順と、
を有する映像コンテンツ視聴者情報提供方法。
【請求項２４】
上記場面指定手順は、映像コンテンツの特定の場面に関連付けられた付加情報を映像コンテンツの視聴者から受け、
上記ユーザ情報検索手順は、上記ユーザ情報データベースから獲得した上記付加情報を含む上記ユーザ情報を取得する
請求項２３記載の映像コンテンツ視聴者情報提供方法。
【請求項２５】
上記ユーザ情報検索手順は、上記付加情報を利用して上記付加情報を含む上記ユーザ情報を順序付ける
請求項２４記載の映像コンテンツ視聴者情報提供方法。
【請求項２６】
映像コンテンツの場面を特定する時間情報を指定する場面指定手順と、
上記指定された時間情報を受け、映像コンテンツ毎に、少なくとも、該映像コンテンツの映像コンテンツ識別情報を格納するコンテンツ情報データベースから、上記映像コンテンツ識別情報を取得するユーザ入力制御手順と、
上記ユーザ入力制御手順において取得した上記映像コンテンツ識別情報、上記時間情報に基づき、任意の手順により獲得される許容差を用いて、上記ユーザ入力制御手順からの上記ユーザ識別情報、上記映像コンテンツ識別情報及び上記時間情報を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順と、
上記ユーザ情報検索手順において取得した上記ユーザ情報を映像コンテンツの視聴者へ提示するユーザ情報提示手順と、
を有する映像コンテンツ視聴者情報提示方法。
【請求項２７】
上記場面指定手順は、映像コンテンツの特定の場面に関連付けられた付加情報を映像コンテンツの視聴者から受け、
上記ユーザ入力制御手順は、上記ユーザ情報データベースに、上記ユーザ識別情報、上記映像コンテンツ識別情報と共に、上記付加情報を格納し、
上記ユーザ情報検索手順は、上記ユーザ情報データベースから獲得した上記付加情報を含む上記ユーザ情報を取得する
請求項２６記載の映像コンテンツ視聴者情報提供方法。
【請求項２８】
上記ユーザ情報検索手順は、上記付加情報を利用して上記付加情報を含む上記ユーザ情報を順序付ける
請求項２７記載の映像コンテンツ視聴者情報提供方法。
【請求項２９】
上記ユーザ情報検索手順は、
上記別のユーザ識別情報を取得する手順と、
上記ユーザ入力制御手順において取得した上記ユーザ識別情報に対応させて上記ユーザ情報データベースに格納されている映像コンテンツ識別情報及び時間情報に対し、上記別のユーザ識別情報に対応させて上記ユーザ情報データベースに格納されている映像コンテンツ識別情報及び時間情報の中から、映像コンテンツ識別情報が一致し、任意の手順により獲得される許容差を用いて、時間情報が時間情報の上記許容差に含まれる映像コンテンツ識別情報及び時間情報を割り当てる手順と、
上記別のユーザ識別情報の中から、上記ユーザ識別情報の映像コンテンツ識別情報及び時間情報の組に割り当てられた度合いに応じて別のユーザ識別情報を取得する手順と、
を有する請求項２６記載の映像コンテンツ視聴者情報提供方法。
【請求項３０】
上記場面指定手順は、映像コンテンツの特定の場面に関連付けられた付加情報を映像コンテンツの視聴者から受け、
上記ユーザ入力制御手順は、上記ユーザ情報データベースに、上記ユーザ識別情報、上記映像コンテンツ識別情報と共に、上記付加情報を格納し、
上記ユーザ情報検索手順は、上記ユーザ情報データベースから取得した上記付加情報を含む上記ユーザ情報を獲得する
請求項２９記載の映像コンテンツ視聴者情報提供方法。
【請求項３１】
上記ユーザ情報検索手順は、上記付加情報を利用して上記付加情報を含む上記ユーザ情報を順序付ける
請求項３０記載の映像コンテンツ視聴者情報提供方法。
【請求項３２】
映像コンテンツの場面を特定する時間情報を指定する場面指定手順と、
上記指定された時間情報を受け、映像コンテンツ毎に、少なくとも、該映像コンテンツの映像コンテンツ識別情報を格納するコンテンツ情報データベースから、上記映像コンテンツ識別情報を取得するユーザ入力制御手順と、
上記ユーザ入力制御手順において取得した上記映像コンテンツ識別情報、上記時間情報に基づき、任意の手順により獲得される許容差を用いて、ユーザ識別情報、映像コンテンツ識別情報、時間情報を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順と、
上記ユーザ情報検索手順において取得した上記ユーザ情報を映像コンテンツの視聴者へ提示するユーザ情報提示手順と、
を有することを特徴とする映像コンテンツ視聴者情報提供方法。
【請求項３３】
上記場面指定手順は、映像コンテンツの特定の場面に関連付けられた付加情報を映像コンテンツの視聴者から受け、
上記ユーザ情報検索手順は、上記ユーザ情報データベースから獲得した上記付加情報を含む上記ユーザ情報を取得する
請求項３２記載の映像コンテンツ視聴者情報提供方法。
【請求項３４】
上記ユーザ情報検索手順は、上記付加情報を利用して上記付加情報を含む上記ユーザ情報に順序を付ける
請求項３３記載の映像コンテンツ視聴者情報提供方法。
【請求項３５】
映像コンテンツ毎に、少なくとも、該映像コンテンツの映像コンテンツ識別情報を格納する映像コンテンツ情報データベースと、
ユーザ識別情報及び指定された時間情報を受け、上記映像コンテンツ情報データベースから、上記映像コンテンツ識別情報を取得し、任意の手段により、上記時間情報に対応した上記時間情報の許容差を獲得するユーザ入力制御手段と、
上記ユーザ入力制御手段からの上記ユーザ識別情報、上記映像コンテンツ識別情報及び上記時間情報の組を格納するユーザ情報データベースと、
上記ユーザ入力制御手段からの上記映像コンテンツ識別情報、上記時間情報及び上記許容差に基づいて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する映像コンテンツ視聴者情報提供装置。
【請求項３６】
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから獲得した上記付加情報を含む上記ユーザ情報を取得する
請求項３５記載の映像コンテンツ視聴者情報提供装置。
【請求項３７】
上記ユーザ情報検索手段は、上記付加情報を利用して上記付加情報を含む上記ユーザ情報を順序付ける
請求項３６記載の映像コンテンツ視聴者情報提供装置。
【請求項３８】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報から決まる時間情報範囲の組に対し、上記別のユーザ識別情報に対応させて上記ユーザ情報データベースに格納されている映像コンテンツ識別情報及び時間情報の中から、映像コンテンツ識別情報が一致し、時間情報が時間情報範囲に含まれる映像コンテンツ識別情報及び時間情報を割り当てる手段と、
上記別のユーザ識別情報の中から、上記ユーザ識別情報の映像コンテンツ識別情報及び時間情報範囲の組に割り当てられた度合いに応じて別のユーザ識別情報を取得する手段と、
により構成される、請求項３５記載の映像コンテンツ視聴者情報提供装置。
【請求項３９】
上記ユーザ入力制御手段は、映像コンテンツの特定の場面に関連付けられた付加情報を更に受け、
上記ユーザ情報データベースは、上記ユーザ識別情報、上記映像コンテンツ識別情報及び上記時間情報の組と共に、上記ユーザ入力制御手段からの上記付加情報を格納し、
上記ユーザ情報検索手段は、上記付加情報を利用して上記ユーザ情報に順序を付ける、
請求項３８記載の映像コンテンツ視聴者情報提供装置。
【請求項４０】
ユーザ識別情報、映像コンテンツ識別情報、時間情報、時間情報の許容差を格納するユーザ情報データベースと、
映像コンテンツ毎に、少なくとも、該映像コンテンツの映像コンテンツ識別情報を格納する映像コンテンツ情報データベースと、
ユーザ識別情報、及び指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者に提示するユーザ情報提示手段と、
を有する映像コンテンツ視聴者情報提供装置。
【請求項４１】
前記ユーザ入力制御手段は、映像コンテンツの特定の場面に関連付けられた付加情報を映像コンテンツの視聴者から受け、
上記ユーザ情報検索手段は、上記ユーザ情報データベースから獲得した上記付加情報を含む上記ユーザ情報を取得する
請求項４０記載の映像コンテンツ視聴者情報提供装置。
【請求項４２】
上記ユーザ情報検索手段は、上記付加情報を利用して上記付加情報を含む上記ユーザ情報を順序付ける
請求項４１記載の映像コンテンツ視聴者情報提供装置。
【請求項４３】
映像コンテンツ毎に、少なくとも、該映像コンテンツの映像コンテンツ識別情報を格納する映像コンテンツ情報データベースと、
ユーザ識別情報、及び指定された時間情報を受け、上記映像コンテンツ情報データベースから、上記映像コンテンツ識別情報を取得するユーザ入力制御手段と、
上記ユーザ入力制御手段からの上記ユーザ識別情報、上記映像コンテンツ識別情報及び上記時間情報を格納するユーザ情報データベースと、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する映像コンテンツ視聴者情報提供装置。
【請求項４４】
上記ユーザ入力制御手段は、映像コンテンツの特定の場面に関連付けられた付加情報を受け、上記ユーザ情報データベースに、上記ユーザ識別情報、上記映像コンテンツ識別情報と共に、上記付加情報を格納し、
上記ユーザ情報検索手段は、上記ユーザ情報データベースから獲得した上記付加情報を含む上記ユーザ情報を取得する
請求項４３記載の映像コンテンツ視聴者情報提供装置。
【請求項４５】
上記ユーザ情報検索手段は、上記付加情報を利用して上記付加情報を含む上記ユーザ情報を順序付ける
請求項４４記載の映像コンテンツ視聴者情報提供装置。
【請求項４６】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報に対し、上記別のユーザ識別情報に対応させて上記ユーザ情報データベースに格納されている映像コンテンツ識別情報及び時間情報の中から、映像コンテンツ識別情報が一致し、任意の手段により獲得される許容差を用いて、時間情報が時間情報の上記許容差に含まれる映像コンテンツ識別情報及び時間情報を割り当てる手段と、
上記別のユーザ識別情報の中から、上記ユーザ識別情報の映像コンテンツ識別情報及び時間情報の組に割り当てられた度合いに応じて別のユーザ識別情報を取得する手段と、
により構成される、請求項４３記載の映像コンテンツ視聴者情報提供装置。
【請求項４７】
上記ユーザ入力制御手段は、映像コンテンツの特定の場面に関連付けられた付加情報を受け、上記ユーザ情報データベースに、上記ユーザ識別情報、上記映像コンテンツ識別情報と共に、上記付加情報を格納し、
上記ユーザ情報検索手段は、上記ユーザ情報データベースから取得した上記付加情報を含む上記ユーザ情報を獲得する
請求項４６記載の映像コンテンツ視聴者情報提供装置。
【請求項４８】
上記ユーザ情報検索手段は、上記付加情報を利用して上記付加情報を含む上記ユーザ情報を順序付ける
請求項４７記載の映像コンテンツ視聴者情報提供装置。
【請求項４９】
ユーザ識別情報、映像コンテンツ識別情報、時間情報を格納するユーザ情報データベースと、
映像コンテンツ毎に、少なくとも、該映像コンテンツの映像コンテンツ識別情報を格納する映像コンテンツ情報データベースと、
ユーザ識別情報、及び指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有することを特徴とする映像コンテンツ視聴者情報提供装置。
【請求項５０】
上記ユーザ入力制御手段は、映像コンテンツの特定の場面に関連付けられた付加情報を受け、
上記ユーザ情報検索手段は、上記ユーザ情報データベースから獲得した上記付加情報を含む上記ユーザ情報を取得する
請求項４９記載の映像コンテンツ視聴者情報提供装置。
【請求項５１】
上記ユーザ情報検索手段は、上記付加情報を利用して上記付加情報を含む上記ユーザ情報に順序を付ける
請求項５０記載の映像コンテンツ視聴者情報提供装置。
【請求項５２】
請求項１８乃至３４記載のいずれか１項記載の映像コンテンツ視聴者情報提供方法を実現するための処理をコンピュータに実行させることを特徴とする映像コンテンツ視聴者情報提供プログラム。
【請求項５３】
請求項１８乃至３４記載のいずれか１項記載の映像コンテンツ視聴者情報提供方法を実現するための処理をコンピュータに実行させるプログラムを格納したことを特徴とする映像コンテンツ視聴者情報提供プログラムを格納した記憶媒体。
【手続補正２】
【補正対象書類名】明細書
【補正対象項目名】００１３
【補正方法】変更
【補正の内容】
【００１３】
【課題を解決するための手段】
図１は、本発明の原理構成図である。図１に示されるように、請求項１に係る発明による映像コンテンツ視聴者情報提供システムは、
映像コンテンツの場面を特定する時間情報を指定する場面指定手段１２と、
映像コンテンツ毎に、少なくとも、該映像コンテンツの映像コンテンツ識別情報を格納する映像コンテンツ情報データベース２２と、
上記場面指定手段１２から、ユーザ識別情報及び指定された時間情報を受け、上記映像コンテンツ情報データベース２２から、上記映像コンテンツ識別情報を取得し、任意の手段により、上記時間情報に対応した上記時間情報の許容差を獲得するユーザ入力制御手段２１と、
上記ユーザ入力制御手段２１からの上記ユーザ識別情報、上記映像コンテンツ識別情報及び上記時間情報の組を格納するユーザ情報データベース２３と、
上記ユーザ入力制御手段２１からの上記映像コンテンツ識別情報、上記時間情報及び上記許容差に基づいて、上記ユーザ情報データベース２３から、上記映像コンテンツ識別情報及び上記時間情報の上記許容差に収まる時間情報と関連付けられている別のユーザ識別情報を獲得し、ユーザ情報を取得するユーザ情報検索手段２４と、
上記ユーザ情報検索手段２４からの上記ユーザ情報を映像コンテンツの視聴者へ提示するユーザ情報提示手段１３と、
を有する。
上記ユーザ情報検索手段２４は、上記付加情報を利用して上記付加情報を含む上記ユーザ情報を順序付ける。
【手続補正３】
【補正対象書類名】明細書
【補正対象項目名】００１５
【補正方法】変更
【補正の内容】
【００１５】
上記場面指定手段１２は、映像コンテンツの特定の場面に関連付けられた付加情報を映像コンテンツの視聴者から受け、上記ユーザ入力制御手段２１へ渡し、
上記ユーザ入力制御手段２１は、上記ユーザ情報データベース２３に、上記ユーザ識別情報、上記映像コンテンツ識別情報と共に、上記付加情報を格納し、
上記ユーザ情報検索手段２４は、上記ユーザ情報データベース２３から獲得した上記付加情報を含む上記ユーザ情報を取得する。
また、上記ユーザ情報検索手段は、上記付加情報を利用して上記付加情報を含む上記ユーザ情報を順序付ける。
【手続補正４】
【補正対象書類名】明細書
【補正対象項目名】００１７
【補正方法】変更
【補正の内容】
【００１７】
請求項４に係る発明による映像コンテンツ視聴者情報提供システムは、
映像情報及び音情報を含み、映像コンテンツ識別情報と関連付けられた映像コンテンツを再生する映像コンテンツ再生手段１１と、
上記映像コンテンツ再生手段１１で再生されている映像コンテンツの場面を特定する時間情報を指定する場面指定手段１２と、
映像コンテンツ毎に、その映像コンテンツの映像コンテンツ識別情報、並びに、時間情報の所定の区間及び上記区間内で同じ場面であると評価できる時間情報の許容差を格納する映像コンテンツ情報データベース２２と、
上記場面指定手段１２から、映像コンテンツの視聴者のユーザ識別情報、再生中の映像コンテンツ識別情報及び指定された時間情報を受け、上記映像コンテンツ情報データベース２２から、上記再生中の映像コンテンツ識別情報及び上記指定された時間情報に対応した上記時間情報の許容差を獲得するユーザ入力制御手段２１と、
上記ユーザ入力制御手段２１からの上記映像コンテンツの視聴者のユーザ識別情報、上記再生中の映像コンテンツ識別情報及び上記指定された時間情報の組を格納するユーザ情報データベース２３と、
上記ユーザ入力制御手段２１からの上記映像コンテンツ識別情報、上記指定された時間情報及び上記指定された時間情報に対応した上記許容差に基づいて、上記ユーザ情報データベース２３から、上記映像コンテンツ識別情報と同じ映像コンテンツ識別情報に対し上記指定された時間情報の上記許容差に収まる時間情報が関連付けられている別のユーザ識別情報を獲得し、ユーザ情報を取得する類似ユーザ情報検索手段２４と、
上記類似ユーザ情報検索手段２４から上記生成された類似ユーザ情報を受け、映像コンテンツの視聴者へ提示する類似ユーザ情報提示手段１３と、
を有し、
上記ユーザ情報検索手段２４は、
上記別のユーザ識別情報を取得する手段と、
上記ユーザ入力制御手段２１からの上記ユーザ識別情報に対応させて上記ユーザ情報データベース２３に格納されている映像コンテンツ識別情報及び時間情報から決まる時間情報範囲の組に対し、上記別のユーザ識別情報に対応させて上記ユーザ情報データベース２３に格納されている映像コンテンツ識別情報及び時間情報の中から、映像コンテンツ識別情報が一致し、時間情報が時間情報範囲に含まれる映像コンテンツ識別情報及び時間情報を割り当てる手段と、
上記別のユーザ識別情報の中から、上記ユーザ識別情報の映像コンテンツ識別情報及び時間情報範囲の組に割り当てられた度合いに応じて別のユーザ識別情報を獲得し、ユーザ情報を取得する手段と、
により構成される。
【手続補正５】
【補正対象書類名】明細書
【補正対象項目名】００１９
【補正方法】変更
【補正の内容】
【００１９】
更に、上記場面指定手段１２は、映像コンテンツの特定の場面に関連付けられた付加情報を映像コンテンツの視聴者から受け、上記ユーザ入力制御手段２１へ渡し、
上記ユーザ情報データベースは、上記ユーザ識別情報、上記映像コンテンツ識別情報及び上記時間情報の組と共に、上記ユーザ入力制御手段２１からの上記付加情報を格納し、
上記ユーザ情報検索手段２３は、上記付加情報を利用して上記ユーザ情報に順序を付ける。
請求項６に係る発明は、ユーザ識別情報、映像コンテンツ識別情報、時間情報、時間情報の許容差を格納するユーザ情報データベースと、
映像コンテンツ毎に、少なくとも、該映像コンテンツの映像コンテンツ識別情報を格納する映像コンテンツ情報データベースと、
映像コンテンツ上の場面を特定する時間情報を指定する場面指定手段と、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者に提示するユーザ情報提示手段と、
を有する。
上記場面指定手段は、映像コンテンツの特定の場面に関連付けられた付加情報を映像コンテンツの視聴者から受け、上記ユーザ入力制御手段へ渡し、
上記ユーザ情報検索手段は、上記ユーザ情報データベースから獲得した上記付加情報を含む上記ユーザ情報を取得する。
上記ユーザ情報検索手段は、上記付加情報を利用して上記付加情報を含む上記ユーザ情報を順序付ける。
請求項９に係る発明による映像コンテンツ視聴者情報提供システムは、
映像コンテンツの場面を特定する時間情報を指定する場面指定手段と、
映像コンテンツ毎に、少なくとも、該映像コンテンツの映像コンテンツ識別情報を格納する映像コンテンツ情報データベースと、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記ユーザ識別情報、上記映像コンテンツ識別情報及び上記時間情報を格納するユーザ情報データベースと、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する。
上記場面指定手段は、映像コンテンツの特定の場面に関連付けられた付加情報を映像コンテンツの視聴者から受け、上記ユーザ入力制御手段へ渡し、
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから獲得した上記付加情報を含む上記ユーザ情報を取得する。
上記ユーザ情報検索手段は、上記付加情報を利用して上記付加情報を含む上記ユーザ情報を順序付ける。
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報に対し、上記別のユーザ識別情報に対応させて上記ユーザ情報データベースに格納されている映像コンテンツ識別情報及び時間情報の中から、映像コンテンツ識別情報が一致し、任意の手段により獲得される許容差を用いて、時間情報が時間情報の上記許容差に含まれる映像コンテンツ識別情報及び時間情報を割り当てる手段と、
上記別のユーザ識別情報の中から、上記ユーザ識別情報の映像コンテンツ識別情報及び時間情報の組に割り当てられた度合いに応じて別のユーザ識別情報を取得する手段と、
により構成される。
上記場面指定手段は、映像コンテンツの特定の場面に関連付けられた付加情報を映像コンテンツの視聴者から受け、上記ユーザ入力制御手段へ渡し、
上記ユーザ入力制御手段は、上記ユーザ情報データベースに、上記ユーザ識別情報、上記映像コンテンツ識別情報と共に、上記付加情報を格納し、
上記ユーザ情報検索手段は、上記ユーザ情報データベースから取得した上記付加情報を含む上記ユーザ情報を獲得する。
上記ユーザ情報検索手段は、上記付加情報を利用して上記付加情報を含む上記ユーザ情報を順序付ける。
請求項１５に係る発明による映像コンテンツ視聴者情報提供システムは、
ユーザ識別情報、映像コンテンツ識別情報、時間情報を格納するユーザ情報データベースと、
映像コンテンツ毎に、少なくとも、該映像コンテンツの映像コンテンツ識別情報を格納する映像コンテンツ情報データベースと、
映像コンテンツの場面を特定する時間情報を指定する場面指定手段と、
上記場面指定手段から、上記指定された時間情報を受け、上記映像コンテンツ情報データベースから、上記映像コンテンツ識別情報を取得するユーザ入力制御手段と、
上記ユーザ入力制御手段からの上記映像コンテンツ識別情報、上記時間情報に基づき、任意の手段により獲得される許容差を用いて、上記ユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手段と、
上記ユーザ情報検索手段からの上記ユーザ情報を映像コンテンツの視聴者へ提示するユーザ情報提示手段と、
を有する。
上記場面指定手段は、映像コンテンツの特定の場面に関連付けられた付加情報を映像コンテンツの視聴者から受け、上記ユーザ入力制御手段へ渡し、
上記ユーザ情報検索手段は、上記ユーザ情報データベースから獲得した上記付加情報を含む上記ユーザ情報を取得する。
上記ユーザ情報検索手段は、上記付加情報を利用して上記付加情報を含む上記ユーザ情報に順序を付ける。
【手続補正６】
【補正対象書類名】明細書
【補正対象項目名】００２１
【補正方法】変更
【補正の内容】
【００２１】
図２は、本発明による映像コンテンツ視聴者情報提供方法の説明図（その１）である。請求項１８に係る発明は、映像コンテンツ視聴者情報を提供する方法であって、
映像コンテンツの場面を特定する時間情報を指定する場面指定手順（ステップ１）と、
上記場面指定手順から、ユーザ識別情報及び指定された時間情報を受け、映像コンテンツ毎に、少なくとも、該映像コンテンツの映像コンテンツ識別情報を格納する映像コンテンツ情報データベースから、上記映像コンテンツ識別情報を取得し、任意の手段により、上記時間情報に対応した上記時間情報の許容差を獲得するユーザ入力制御手順（ステップ２）と、
上記ユーザ入力制御手順において取得した上記映像コンテンツ識別情報、上記時間情報及び上記許容差に基づいて、上記ユーザ入力制御手順からの上記ユーザ識別情報、上記映像コンテンツ識別情報及び上記時間情報の組を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順（ステップ３）と、
上記ユーザ情報検索手順において取得した上記ユーザ情報を映像コンテンツの視聴者へ提示するユーザ情報提示手順（ステップ４）と、
を有する。
【手続補正７】
【補正対象書類名】明細書
【補正対象項目名】００２２
【補正方法】変更
【補正の内容】
【００２２】
図３は、本発明による映像コンテンツ視聴者情報提供方法の説明図（その２）である。
請求項２３に係る映像コンテンツの視聴者情報を提供する支援方法であって、
映像コンテンツ上の場面を特定する時間情報を指定する場面指定手順（ステップ１１）と、
上記指定された時間情報を受け、映像コンテンツ毎に、少なくとも、該映像コンテンツの映像コンテンツ識別情報を格納する映像コンテンツ情報データベースから、上記映像コンテンツ識別情報を取得するユーザ入力制御手順（ステップ１２）と、
上記ユーザ入力制御手順からの上記映像コンテンツ識別情報、上記時間情報に基づき、ユーザ識別情報、映像コンテンツ識別情報、時間情報、時間情報の許容差を格納するユーザ情報データベースから、上記映像コンテンツ識別情報及び上記時間情報の上記許容差に収まる時間情報と関連付けられている別のユーザ識別情報を獲得し、ユーザ情報を取得するユーザ情報検索手順（ステップ１３）と、
上記ユーザ情報検索手順において取得した上記ユーザ情報を映像コンテンツの視聴者に提示するユーザ情報提示手順（ステップ１４）と、
を有する。
【手続補正８】
【補正対象書類名】明細書
【補正対象項目名】００２３
【補正方法】変更
【補正の内容】
【００２３】
図４は、本発明による映像コンテンツ視聴者情報提供装置の構成図である。請求項３５に係る発明によるユーザ情報を映像コンテンツの視聴者へ提供する映像コンテンツ視聴者情報提供装置２は、
映像コンテンツ毎に、少なくとも、該映像コンテンツの映像コンテンツ識別情報を格納する映像コンテンツ情報データベース２２と、
ユーザ識別情報及び指定された時間情報を受け、上記映像コンテンツ情報データベース２２から、上記映像コンテンツ識別情報を取得し、任意の手段により、上記時間情報に対応した上記時間情報の許容差を獲得するユーザ入力制御手段２１と、
上記ユーザ入力制御手段２１からの上記ユーザ識別情報、上記映像コンテンツ識別情報及び上記時間情報の組を格納するユーザ情報データベース２３と、
上記ユーザ入力制御手段２１からの上記映像コンテンツ識別情報、上記時間情報及び上記許容差に基づいて、上記ユーザ情報データベース２３から、上記映像コンテンツ識別情報及び上記時間情報の上記許容差に収まる時間情報と関連付けられている別のユーザ識別情報を獲得し、ユーザ情報を取得するユーザ情報検索手段２４と、
上記ユーザ情報検索手段２４からの上記ユーザ情報を映像コンテンツの視聴者へ提示するユーザ情報提示手段と、
を有する。
【手続補正９】
【補正対象書類名】明細書
【補正対象項目名】００２４
【補正方法】変更
【補正の内容】
【００２４】
また、上記ユーザ入力制御手段２１は、上記ユーザ情報データベース２３に、上記ユーザ識別情報、上記映像コンテンツ識別情報と共に、上記付加情報を格納し、
上記ユーザ情報検索手段２４は、上記ユーザ情報データベース２３から獲得した上記付加情報を含む上記ユーザ情報を取得する。
【手続補正１０】
【補正対象書類名】明細書
【補正対象項目名】００２５
【補正方法】変更
【補正の内容】
【００２５】
請求項４０に係る発明によるユーザ情報を映像コンテンツの視聴者へ提供する映像コンテンツ視聴者情報提供装置２は、
ユーザ識別情報、映像コンテンツ識別情報、時間情報、時間情報の許容差を格納するユーザ情報データベース２１と、
映像コンテンツ毎に、少なくとも、該映像コンテンツの映像コンテンツ識別情報を格納する映像コンテンツ情報データベース２２と、
ユーザ識別情報、及び指定された時間情報を受け、上記映像コンテンツ情報データベース２２から、上記映像コンテンツ識別情報を取得するユーザ入力制御手段２１と、
上記ユーザ入力制御手段２１からの上記映像コンテンツ識別情報、上記時間情報に基づき、上記ユーザ情報データベース２１から、上記映像コンテンツ識別情報及び上記時間情報の上記許容差に収まる時間情報と関連付けられている別のユーザ識別情報を獲得し、ユーザ情報を取得するユーザ情報検索手段２４と、
上記ユーザ情報検索手段２４からの上記ユーザ情報を映像コンテンツの視聴者に提示するユーザ情報提示手段と、
を有する。
【手続補正１１】
【補正対象書類名】明細書
【補正対象項目名】００２６
【補正方法】変更
【補正の内容】
【００２６】
上記ユーザ入力制御手段２４は、映像コンテンツの特定の場面に関連付けられた付加情報を映像コンテンツの視聴者から受け、
上記ユーザ情報検索手段２４は、上記ユーザ情報データベースから獲得した上記付加情報を含む上記ユーザ情報を取得する。
また、上記ユーザ情報検索手段２４は、上記付加情報を利用して上記付加情報を含む上記ユーザ情報を順序付ける。
【手続補正１２】
【補正対象書類名】明細書
【補正対象項目名】００２７
【補正方法】変更
【補正の内容】
【００２７】
さらに、請求項５２に係る発明は、請求項１８乃至３４記載のいずれか１項記載の映像コンテンツ視聴者情報提供方法を実現するための処理をコンピュータに実行させるプログラムである。
また、請求項５３に係る発明は、請求項１８乃至３４記載のいずれか１項記載の映像コンテンツ視聴者情報提供方法を実現するための処理をコンピュータに実行させるプログラムを格納した記憶媒体である。
【手続補正１３】
【補正対象書類名】明細書
【補正対象項目名】図面の簡単な説明
【補正方法】変更
【補正の内容】
【図面の簡単な説明】
【図１】
本発明の原理構成図である。
【図２】
本発明による第１の映像コンテンツ視聴者情報提供方法の説明図である。
【図３】
本発明による第２の映像コンテンツ視聴者情報提供方法の説明図である。
【図４】
本発明による映像コンテンツ視聴者情報提供装置の構成図である。
【図５】
本発明の第１の実施例によるシステム構成図である。
【図６】
本発明の第１の実施例による映像コンテンツ情報ＤＢの説明図である。
【図７】
本発明の第１の実施例によるユーザ情報ＤＢの説明図である。
【図８】
本発明の第１の実施例によるシステムのシーケンスチャートである。
【図９】
本発明の第１の実施例による映像再生画面の説明図である。
【図１０】
本発明の第１の実施例による類似ユーザ情報検索処理のフローチャートである。
【図１１】
本発明の第２の実施例によるシステム構成図である。
【図１２】
本発明の第２の実施例によるシステムのシーケンスチャートである。
【図１３】
本発明の第２の実施例による類似ユーザ情報検索処理のフローチャートである。
【図１４】
本発明の第３の実施例によるシステム構成図である。
【図１５】
本発明の第４の実施例によるシステム構成図である。
【図１６】
本発明の第４の実施例による映像コンテンツ情報ＤＢの説明図である。
【図１７】
本発明の第４の実施例によるユーザ情報ＤＢの説明図である。
【図１８】
本発明の第４の実施例によるシステムのシーケンスチャートである。
【図１９】
本発明の第４の実施例による類似ユーザ情報検索処理のフローチャートである。
【図２０】
本発明の第４の実施例による一致度の計算方法の説明図である。
【図２１】
本発明の第５の実施例によるシステム構成図である。
【図２２】
本発明の第５の実施例による一致度の計算方法の説明図である。
【図２３】
本発明の第６の実施例によるシステム構成図である。
【図２４】
本発明の第６の実施例による一致度の計算方法の説明図である。
【図２５】
本発明の第６の実施例による類似度計算処理のフローチャートである。
【符号の説明】
１    クライアント装置
２    サーバ装置
１１    映像コンテンツ再生手段
１２    場面指定手段
１３    ユーザ情報提示手段
２１    ユーザ入力制御手段
２２    映像コンテンツ情報データベース
２３    ユーザ情報データベース
２４    ユーザ情報検索手段
【手続補正１４】
【補正対象書類名】図面
【補正対象項目名】図１
【補正方法】変更
【補正の内容】
【図１】
2003076704.tif 000001
【手続補正１５】
【補正対象書類名】図面
【補正対象項目名】図２
【補正方法】変更
【補正の内容】
【図２】
2003076704.tif 000002
【手続補正１６】
【補正対象書類名】図面
【補正対象項目名】図３
【補正方法】変更
【補正の内容】
【図３】
2003076704.tif 000003
【手続補正１７】
【補正対象書類名】図面
【補正対象項目名】図４
【補正方法】変更
【補正の内容】
【図４】
2003076704.tif 000004